(57)【要約】【課題】光の映り込みを防止しながらも、小型化が図れるとともに良好な暗視画像が得られるカメラ付きドアホン子機を提供することにある。【解決手段】カメラ付きドアホン子器は、撮像素子１０と撮像素子１０の前方に配置され撮像範囲Ｓ１からの光を集光して撮像素子１０に入射させる集光レンズ部１１と撮像素子１０の周辺部に配置され撮像範囲Ｓ１に光を照射する暗視用光源部１２とを有するカメラブロック１と、カメラブロック１を前方に臨ませる窓孔２ａを有する筐体２と、窓孔２ａを閉塞する透光カバー３とを備え、透光カバー３は、前方に突出するドーム形状に形成されカメラブロック１との接触を防止する接触防止部３ｂを有し、接触防止部３ｂの内側にカメラブロック１の少なくとも一部を位置させ、かつ撮像範囲Ｓ１と暗視用光源部１２の光照射範囲Ｓ２との重複範囲Ｓ３に位置しないようにカメラブロック１に近接させた状態で筐体２に取り付けられる。【選択図】図１
2008172532.tif 000002
【特許請求の範囲】
【請求項１】
撮像素子と撮像素子の前方に配置され撮像範囲からの光を集光して撮像素子に入射させる集光レンズ部と撮像素子の周辺部に配置され前記撮像範囲に光を照射する暗視用光源部とを有するカメラブロックと、カメラブロックの集光レンズ部および暗視用光源部を前方に臨ませる窓孔を有する筐体と、筐体の窓孔を閉塞するようにして筐体に取り付けられた透光カバーとを備え、
透光カバーは、前方に突出するドーム形状に形成されカメラブロックとの接触を防止する接触防止部を有し、当該接触防止部の内側にカメラブロックの少なくとも一部を位置させ、かつ前記撮像範囲と暗視用光源部の光照射範囲との重複範囲に位置しないようにカメラブロックに近接させた状態で筐体に取り付けられていることを特徴とするカメラ付きドアホン子器。
【請求項２】
透光カバーは、接触防止部のみが筐体の前面を含む平面より前方に突出するようにして筐体に取り付けられていることを特徴とする請求項１記載のカメラ付きドアホン子器。
【発明の詳細な説明】
【技術分野】
【０００１】
本発明は、来訪者との通話などの用途に用いられるカメラ付きドアホン子器に関する。
【背景技術】
【０００２】
従来から、住宅内外間で通話を可能とするためのドアホンシステムが提供されている。ドアホンシステムは、住宅の屋内に設置されるドアホン親機と、玄関に設置されるドアホン子器とで構成される。ここでドアホン子器としては、来訪者などの姿を撮像するためのカメラを備えたカメラ付きドアホン子器が提案されている。
【０００３】
この種のカメラ付きドアホン子器は、図３（ａ）に示すように、撮像素子１１０と、撮像素子１１０の前方に配置され撮像範囲Ｓ１００からの光を集光して撮像素子１１０に入射させる集光レンズ部１２０と、撮像素子１１０の周辺部に複数配置され撮像範囲Ｓ１００に光（例えば、赤外線）を照射する暗視用光源部１３０とを有するカメラブロック１００を備えている。カメラブロック１００は、集光レンズ部１２０および暗視用光源部１３０を前方に臨ませる窓孔２１０を有する筐体２００に収納されている。筐体２００には、平板状の透光カバー（フィルタ）３００が、窓孔２１０を閉塞するようにして取り付けられている。
【０００４】
ところで、図３（ａ）に示すようなカメラ付きドアホン子器では、撮像素子１１０の撮像範囲（すなわち集光レンズ部１２０により撮像素子２１０に光を入射させることが可能な範囲）Ｓ１００と暗視用光源部１３０の光照射範囲Ｓ２００とが重複する範囲（重複範囲）Ｓ３中に、透光カバー３００が位置している。そのため、暗視用光源部１３０から放射された光のなかには、透光カバー３００を透過せずに透光カバー３００で反射される光が存在する。そして、透光カバー３００で反射された光が集光レンズ部１２０に入射した際には、透光カバー３００で反射された光が画像（暗視画像）に映り込んでしまい、光が映り込んだ部分では画像がつぶれ、正確な画像が得られなくなってしまうという問題があった。
【０００５】
そこで、上述のような光の映り込みを防止するために、図３（ｂ）に示すようなカメラ付きドアホン子器が提案されており、このカメラ付きドアホン子器では、撮像素子１１０と暗視用光源部１３０との距離を離すことによって、重複範囲Ｓ３００中に透光カバー３００が位置しないようにしている。このようにすれば、暗視用光源１３０から放射された光が透光カバー３００で反射されたとしても、反射された光が集光レンズ部１２０に入射することがないから、光の映り込みを防止することができる。
【０００６】
また、撮像素子１１０および集光レンズ部１２０と暗視用光源部１３０との間に暗視用光源部１３０の光を遮光する隔壁（図示せず）を設けることによって、上述のような光の映り込みを防止したカメラ付きドアホン子器が提案されている（例えば、特許文献１参照）。
【特許文献１】特開平５−７３２０号公報
【発明の開示】
【発明が解決しようとする課題】
【０００７】
しかしながら、図３（ｂ）に示すカメラ付きドアホン子器では、撮像素子１１０と暗視用光源部１３０との距離を離す必要があるため、これに伴って透光カバー３００や筐体２００を大型化しなければならない。また、製品の幅やデザイン上の制約などによって、透光カバー３００や筐体２００を大型化できる範囲が制限されるため、映り込みが防止できる程度まで撮像素子１１０と暗視用光源部１３０との距離を離すことができない場合もあった。
【０００８】
また、特許文献１に示すものでは、当然ながら、隔壁によって暗視用光源部１３０から撮像範囲に照射される光の範囲も制限されてしまうため、図３（ａ），（ｂ）に示す場合に比べて、暗視用光源部１３０から撮像範囲に照射可能な光量が減少し、良好な暗視画像を得難くなるおそれがあった。
【０００９】
本発明は上述の点に鑑みて為されたもので、その目的は、光の映り込みを防止しながらも、小型化が図れるとともに良好な暗視画像が得られるカメラ付きドアホン子機を提供することにある。
【課題を解決するための手段】
【００１０】
上述の課題を解決するために、請求項１の発明では、撮像素子と撮像素子の前方に配置され撮像範囲からの光を集光して撮像素子に入射させる集光レンズ部と撮像素子の周辺部に配置され前記撮像範囲に光を照射する暗視用光源部とを有するカメラブロックと、カメラブロックの集光レンズ部および暗視用光源部を前方に臨ませる窓孔を有する筐体と、筐体の窓孔を閉塞するようにして筐体に取り付けられた透光カバーとを備え、透光カバーは、前方に突出するドーム形状に形成されカメラブロックとの接触を防止する接触防止部を有し、当該接触防止部の内側にカメラブロックの少なくとも一部を位置させ、かつ前記撮像範囲と暗視用光源部の光照射範囲との重複範囲に位置しないようにカメラブロックに近接させた状態で筐体に取り付けられていることを特徴とする。
【００１１】
請求項１の発明によれば、撮像範囲と暗視用光源部の光照射範囲との重複範囲に位置しないようにカメラブロックに近接させた状態で筐体に取り付けられているので、暗視用光源から放射された光が透光カバーで反射されたとしても、反射された光が集光レンズ部に入射することがないから、光の映り込みを防止することができる。しかも、透光カバーに設けられた接触防止部によって透光カバーとカメラブロックとの接触が防止されるから、カメラブロックが邪魔になって、透光カバーを重複範囲に位置しないように筐体に取り付けることができないといった事態を回避できる。その上、撮像素子と暗視用光源部との距離を離す必要がないから従来のものに比べて小型化が図れ、また、光の映り込みを防止するための隔壁を設ける必要がないから従来のものに比べて撮像範囲に照射される暗視用光源部の光量が増加することになるから、良好な暗視画像が得られる。
【００１２】
請求項２の発明では、請求項１の発明において、透光カバーは接触防止部のみが筐体の前面を含む平面より前方に突出するようにして筐体に取り付けられていることを特徴とする。
【００１３】
請求項２の発明によれば、透光カバー全体が筐体の前面を含む平面より前方に突出している場合、あるいは筐体の前面が透光カバー全体よりも前方に突出している場合に比べて、美観の向上を図りつつも薄型化が図れる。
【発明の効果】
【００１４】
本発明は、光の映り込みを防止しながらも、小型化が図れるとともに良好な暗視画像が得られるという効果を奏する。
【発明を実施するための最良の形態】
【００１５】
本発明の一実施形態のカメラ付きドアホン子器１は、例えば、住宅の玄関に設置されて来訪者（来客）の画像をドアホン親機に伝送するとともに来訪者との間に通話を行うために用いられるものであって、図２に示すように、所定の撮像範囲の画像（来訪者の画像）を得るためのカメラブロック１と、カメラブロック１が収納された筐体２とを備えている。
【００１６】
カメラブロック１は、図１に示すように、ＣＣＤイメージセンサやＣＭＯＳイメージセンサなどの固体撮像素子からなる撮像素子１０と、撮像素子１０の前方（図１における上方）に配置され撮像範囲Ｓ１からの光を集光して撮像素子１０に入射させる広角レンズなどの集光レンズ部１１と、撮像素子１０の周辺部に複数（図示例では撮像素子１０の左右に１つずつ）配置され撮像範囲Ｓ１に光を照射する赤外線ＬＥＤなどの暗視用光源部１２と、撮像素子１０および暗視用光源部１２が実装されたプリント基板１３とを有している。なお、プリント基板１３には、撮像素子１０や暗視用光源部１２の動作制御を行う駆動制御回路（図示せず）など、カメラ付きドアホン子器１の機能を発揮するために必要な回路が設けられている。カメラブロック１の構成は、従来周知のものを採用できるから詳細な説明は省略する。
【００１７】
筐体２は、例えば、直方体状の箱形に形成された樹脂成形品からなり、その前壁部（図２における紙面手前側の壁部）には、カメラブロック１の集光レンズ部１１および暗視用光源部１２を前方に臨ませる矩形状の窓孔２ａが厚み方向に貫設されている。また、筐体２には、図１に示すように、窓孔２ａを閉塞するようにして透光カバー３が取り付けられる。
【００１８】
透光カバー３は、カメラブロック１を保護するために筐体２に取り付けられるものであって、例えば、透光性を有する樹脂材料（例えば、アクリル樹脂など）を用いて形成された樹脂成形品からなり、筐体２の窓孔２ａを閉塞できる程度の大きさに形成された矩形の平板部３ａと、平板部３ａの中央部に設けられた接触防止部３ｂとを一体に有している。接触防止部３ｂは、平板部３ａの前面より前方に突出するドーム形状に形成されており、接触防止部３ｂの内側にカメラブロック１が位置することによって、透光カバー３を筐体２に取り付けた際に、カメラブロック１との接触（図示例では集光レンズ部１１との接触）が防止される。なお、接触防止部３ｂの曲面形状は、撮像素子１０により得られる画像に歪みが生じないような形状に設計することが好ましい。また、透光カバー３において前後方向で暗視用光源部１２と重なる部位には、可視光を遮断し赤外線を透過させる塗料が塗布されており、これによって外観上、暗視用光源部１２が見えないように隠して、カメラ付きドアホン子器の美観の向上を図っている。
【００１９】
上述した透光カバー３は、図１に示すように、接触防止部３ｂの内側にカメラブロック１の少なくとも一部（図示例では集光レンズ部１１）を位置させ、かつ撮像範囲Ｓ１と各暗視用光源部１２の光照射範囲Ｓ２との重複範囲Ｓ３に位置しないようにカメラブロック１に近接させた状態で筐体２に取り付けられている。このとき、接触防止部３ｂの内側にカメラブロック１が位置することによって、カメラブロック１と透光カバー３との接触が防止されている。
【００２０】
このように透光カバー３が筐体２に取り付けられた状態では、窓孔２ａは透光カバー３によって閉塞される。また、筐体２は、上述したように透光カバー３を取り付けた際に、透光カバー３の接触防止部３ｂのみが筐体２の前壁部の前面を含む平面より前方に突出するように（すなわち平板部３ａの前面を含む平面と、筐体２の前壁部の前面を含む平面とが略同一平面上に位置するように）構成されている。
【００２１】
ところで、この筐体２には、カメラブロック１の他に、スピーカ（図示せず）と、集音マイク（図示せず）と、ドアホン親機（図示せず）用の呼び出し釦４とが収納されるため、筐体２の前壁部には、上記窓孔２ａに加えて、スピーカで発生された音波を送波するための複数の音孔２ｂと、集音マイクで音波を受波するためのマイク孔２ｃと、呼び出し釦４を前方に露出させるための釦用孔２ｄがそれぞれ厚み方向に貫設されている。
【００２２】
以上述べた本実施形態にカメラ付きドアホン子器によれば、撮像範囲Ｓ１と暗視用光源部１２の光照射範囲Ｓ２との重複範囲Ｓ３に位置しないようにカメラブロック１に近接させた状態で筐体２に取り付けられているので、暗視用光源１２から放射された光が透光カバー３で反射されたとしても、反射された光が集光レンズ部１１に入射することがないから、光の映り込みを防止することができる。しかも透光カバー３に設けられた接触防止部３ｂによって透光カバー３とカメラブロック１との接触が防止されるから、カメラブロック１が邪魔になって、透光カバー３を重複範囲Ｓ３に位置しないように筐体２に取り付けることができないといった事態を回避できる。その上、撮像素子１０と暗視用光源部１２との距離を離す必要がないから従来のものに比べて小型化が図れ、また、光の映り込みを防止するための隔壁を設ける必要がないから従来のものに比べて撮像範囲Ｓ１に照射される暗視用光源部１２の光を増やすことができるから、良好な暗視画像が得られる。
【００２３】
また、透光カバー３は接触防止部３ｂのみが筐体２の前面を含む平面より前方に突出するようにして筐体２に取り付けられているから、透光カバー３全体が筐体２の前面を含む平面より前方に突出している場合、あるいは筐体２の前面が透光カバー３全体よりも前方に突出している場合に比べて、美観の向上を図りつつも薄型化が図れる。
【００２４】
なお、本発明のカメラ付きドアホン子器は、本実施形態に限定されるものではなく、本発明の効果を発揮できる範囲内での変更は可能である。
【図面の簡単な説明】
【００２５】
【図１】本発明の一実施形態のカメラ付きドアホン子器の概略説明図である。
【図２】同上のカメラ付きドアホン子器の正面図である。
【図３】従来のカメラ付きドアホン子器の概略説明図である。
【符号の説明】
【００２６】
１    カメラブロック
２    筐体
２ａ  窓孔
３    透光カバー
３ｂ  接触防止部
１０    撮像素子
１１    集光レンズ部
１２    暗視用光源部
Ｓ１    撮像範囲
Ｓ２    光照射範囲
Ｓ３    重複範囲
【図１】
2008172532.tif 000003
【図２】
2008172532.tif 000004
【図３】
2008172532.tif 000005